(57)【要約】【課題】光偏向要素を隠蔽しつつ、高輝度な照明装置、及び該照明装置を用いた表示装置を提供する。【解決手段】導光体７の射出面７ｂに配列される第一の方向に延びる第一のレンズ１９と、第一のレンズ１９に直交する第二の方向に延在する第二のレンズ２２とを積層した。  これにより、光源６で発した光は、導光体７において光偏向要素１８によって偏向され、第一のレンズ１９によって線状光Ｌへと変換される。さらに、導光体７の射出面７ｂ側に配置された拡散レンズシート２０の第二のレンズ２２によって、線状光Ｌが面状光へと変換される。これにより、照明装置３、並びに表示装置１は、導光体７の射出面７ｂ側に散乱性の高い拡散シートを積層せずとも光偏向要素１８を隠蔽することができ、導光体７の射出面７ｂに形成された第一のレンズ１９による集光効果を阻害しないため、高輝度な照明装置３を得ることができる。【選択図】図１
2013134888.tif 000002
【特許請求の範囲】
【請求項１】
光源と、
前記光源から入射された光を予め定められた方向に導く導光体と、
前記導光体から射出される前記光を拡散させる光拡散部と、
を備え、
前記導光体は、
前記光源からの光が入射される入射面と、
前記入射面に直交し、該入射面から入射した前記光を射出する射出面と、
前記射出面に対向する光偏向面と、
前記光偏向面に設けられ、前記入射面から入射した前記光を前記射出面側に偏向する複数の点状の光偏向要素と、を有し、
前記光拡散部は、
前記射出面に平行な第一の方向に連続し、前記導光体内部を導光する前記光の光路を規制して線状光として前記射出させる第一のレンズと、
前記射出面に平行で前記第一の方向に直交する第二の方向に連続し、前記第一レンズから射出された前記線状光を面状に拡散させる第二のレンズと、を備えることを特徴とする照明装置。
【請求項２】
前記第二のレンズから射出された光を拡散させる拡散シートをさらに備えることを特徴とする請求項１に記載の照明装置。
【請求項３】
前記光偏向要素は、前記光偏向面上で、前記入射面に直交する方向においては、前記入射面に近い側に対し、前記入射面から遠い側で前記光偏向要素の占める面積が多くなるよう形成され、前記光偏向面上で、前記入射面に平行な方向においては、単位面積当りの前記光偏向要素の占める面積が略均一とされていることを特徴とする請求項１または２に記載の照明装置。
【請求項４】
前記光偏向要素は、各々が独立した凸状または凹状のドット形状であることを特徴とする請求項１から３のいずれか一項に記載の照明装置。
【請求項５】
前記第一のレンズは、断面が円弧状または断面非円弧状で凸状または凹状とされたシリンドリカル形状、または一部が丸みを帯びたプリズム形状であって、前記第二の方向に沿って複数が配置されていることを特徴とする請求項１から４のいずれか一項に記載の照明装置。
【請求項６】
前記第二のレンズは、断面が円弧状または断面非円弧状で凸状または凹状とされたシリンドリカル形状、または一部が丸みを帯びたプリズム形状であって、前記第一の方向に沿って複数が配置されていることを特徴とする請求項１から５のいずれか一項に記載の照明装置。
【請求項７】
前記第二のレンズは、シート状の基材上に形成されていることを特徴とする請求項１から６のいずれか一項に記載の照明装置。
【請求項８】
前記基材において第二のレンズが配置される面と対向する面に、光を拡散させる拡散層が形成されていることを特徴とする請求項７に記載の照明装置。
【請求項９】
前記基材は、拡散性粒子が内部に分散されてなることを特徴とする請求項７に記載の照明装置。
【請求項１０】
前記導光体の前記光偏向面側に、前記導光体または前記光源から散乱した光を前記導光体側に反射させる反射板をさらに備えることを特徴とする請求項１から９のいずれか一項に記載の照明装置。
【請求項１１】
画素単位での光の透過または遮光に応じて表示画像を規定する画像表示素子と、
請求項１から１０のいずれか一項に記載の照明装置と、
を具備することを特徴とする表示装置。
【発明の詳細な説明】
【技術分野】
【０００１】
本発明は、液晶表示装置等のディスプレイパネルに使用される照明装置および表示装置に関する。
【背景技術】
【０００２】
最近の大型液晶テレビやフラットディスプレイパネル等においては、主に、直下型方式の照明装置またはエッジライト方式の照明装置が採用されている。
【０００３】
直下型方式の照明装置では、複数の冷陰極管やＬＥＤ（Ｌｉｇｈｔ Ｅｍｉｔｔｉｎｇ Ｄｉｏｄｅ）が光源として用いられ、液晶パネル等の画像表示素子パネルの背面に規則的に配置される。冷陰極管は線状光源であり、ＬＥＤは点状光源であるため、画像表示素子パネルと光源との間には、光散乱性の強い拡散板が用いられ、冷陰極管やＬＥＤが視認されないようにしている。
【０００４】
エッジライト方式の照明装置は、複数の冷陰極管やＬＥＤが、導光板と呼ばれる透光性の板の端面に配置される。一般的に、導光板の射出面（画像表示素子パネルと対向する面）と対向する面は光偏向面とされ、導光板の端面から入射する入射光を効率良く射出面へと導く光偏向要素が形成される。このような光偏向面に形成される光偏向要素としては、白色のインキがドット状に印刷されたものが一般的である（例えば特許文献１参照）。
【０００５】
ところで、最近では、液晶表示装置の動画性能改善やアクティブ方式の３Ｄ映像のクロストーク低減、または照明装置の高輝度化を目的として、射出面側にレンチキュラーレンズやプリズムレンズを配した導光板を備える構成が提案されている。
このような構成では、射出面が平坦である場合と比べて、レンチキュラーレンズやプリズムレンズによって射出光を射出面の正面方向へと集光することができるため高輝度な導光板を得ることができる。
【先行技術文献】
【特許文献】
【０００６】
【特許文献１】特開平１−２４１５９０号公報
【発明の概要】
【発明が解決しようとする課題】
【０００７】
しかしながら、エッジライト方式の照明装置は、導光板の光偏向面に形成された光偏向要素が視認されないよう、散乱性能が高い強拡散シートを積層する必要がある。特に最近のエッジライト方式の照明装置は、低コスト化の観点から配置されるＬＥＤの数が減ってきており、また導光板の厚みも薄くなってきている。このため、光偏向要素がより視認されやすくなってきており、強拡散シートの重要性が高まってきている。
このようなエッジライト方式の照明装置において、導光板の射出面にレンチキュラーレンズやプリズムレンズを配しても、レンチキュラーレンズやプリズムレンズで射出面の正面方向に集光した射出光が、その上に積層される強拡散シートによって散乱されてしまう。このため、レンチキュラーレンズやプリズムレンズによる集光の効果が大幅に低減し、輝度も低下してしまうという問題が生じる。
そこでなされた本発明の目的は、光偏向要素を隠蔽しつつ、高輝度な照明装置、及び該照明装置を用いた表示装置を提供することである。
【課題を解決するための手段】
【０００８】
本発明は、上記課題を解決するため、以下の手段を採用する。
すなわち、本発明の第一の態様である照明装置は、光源と、光源から入射された光を予め定められた方向に導く導光体と、導光体から射出される光を拡散させる光拡散部と、を備え、導光体は、光源からの光が入射される入射面と、入射面に直交し、該入射面から入射した光を射出する射出面と、射出面に対向する光偏向面と、光偏向面に設けられ、入射面から入射した光を射出面側に偏向する複数の点状の光偏向要素と、を有し、光拡散部は、射出面に平行な第一の方向に連続し、導光体内部を導光する光の光路を規制して線状光として射出させる第一のレンズと、射出面に平行で第一の方向に直交する第二の方向に連続し、第一レンズから射出された線状光を面状に拡散させる第二のレンズと、を備えることを特徴とする。
このような構成によれば、光源からの光は、入射面から導光体に入射される。入射した光は、導光体の光偏向面の光偏向要素によって射出面に向けて偏向され、この光は、光偏向要素によって偏向された点状光が一部に含まれるが、これが、第一のレンズによって線状光とされ、第二のレンズによってさらに拡散されて均一な分布を有した面状光となる。
【０００９】
本発明の照明装置においては、第二のレンズから射出された光を拡散させる拡散シートがさらに形成されてもよい。
【００１０】
本発明の照明装置においては、光偏向要素は、光偏向面上で、入射面に直交する方向においては、入射面に近い側に対し、入射面から遠い側で光偏向要素の占める面積が多くなるよう形成され、入射面に平行な方向においては、単位面積当りの光偏向要素の占める面積が略均一とされてもよい。
導光体内部を導光する光の量は入射面に近いほど多く、離れるにつれ減少する。従って、光偏向要素を、入射面に近いほど多く形成することで、射出面から射出される光量の均等化を図ることができる。
【００１１】
本発明の照明装置において、光偏向要素は、各々が独立した凸状、または凹状のドット形状により形成されてもよい。
【００１２】
本発明の照明装置においては、第一のレンズは、断面が円弧状または断面非円弧状で凸状または凹状とされたシリンドリカル形状、または一部が丸みを帯びたプリズム形状であって、第二の方向に沿って複数が並べて配置されてもよい。
【００１３】
本発明の照明装置においては、第二のレンズは、断面が円弧状または断面非円弧状で凸状または凹状とされたシリンドリカル形状、または一部が丸みを帯びたプリズム形状であって、第一の方向に複数が並べて配置されてもよい。
【００１４】
本発明の照明装置において、第二のレンズは、シート状の基材上に形成されてもよい。
そして、基材において第二のレンズが配置される面と対向する面に、光を拡散させる拡散層が形成されてもよい。
また、基材は、拡散性粒子が内部に分散されて構成されてもよい。
【００１５】
本発明の照明装置においては、導光体の光偏向面側に、導光体または光源から散乱した光を導光体側に反射させる反射板をさらに備えてもよい。
【００１６】
本発明の第二の態様である表示装置は、画素単位での光の透過または遮光に応じて表示画像を規定する画像表示素子と、本発明の照明装置と、を具備することを特徴とする。
【発明の効果】
【００１７】
本発明によれば、光源からの光は、入射面から導光体に入射される。入射した光は、導光体の光偏向面の光偏向要素によって射出面に向けて偏向される。この光は、光偏向要素によって偏向された点状光が一部に含まれるが、これが、第一のレンズによって線状光とされ、この線状光は第一のレンズに直交する第二のレンズによって面状光とされる。
つまり、散乱性能が高い強拡散シートを積層することなく、光偏向要素が視認されないようにすることができる。強拡散シートによって光が散乱されてしまうこともないので、高輝度な照明装置とすることができる。したがって、光偏向要素を隠蔽しつつ、高輝度な照明装置、及び該照明装置を用いた表示装置を提供することができる。
【図面の簡単な説明】
【００１８】
【図１】本実施形態の表示装置の断面模式図である。
【図２】（ａ）は本実施形態の導光体斜視図、（ｂ）は導光体側面図、（ｃ）は本実施形態の導光体側面図である。
【図３】（ａ）は第一のレンズ、第二のレンズの形状の一例、（ｂ）は第一のレンズ、第二のレンズの形状の他の一例である。
【図４】（ａ）は導光体における導光を示した上面図、（ｂ）は導光を示した側面図である。
【図５】（ａ）は本実施形態の導光体における導光を示した上面図、（ｂ）は側面図である。
【図６】（ａ）は導光体における輝度分布を示した図であり、（ｂ）は本発明の導光体における輝度分布を示した図である。
【図７】（ａ）は本実施形態の導光体における射出光を示した上面図、（ｂ）は射出光を示した側面図である。
【図８】（ａ）は第一のレンズ、第二のレンズの形状の一例、（ｂ）は第一のレンズ、第二のレンズの形状の他の一例である。
【発明を実施するための形態】
【００１９】
以下、添付図面を参照して、本発明による照明装置および表示装置を実施するための一形態を説明する。しかし、本発明はこの実施形態のみに限定されるものではない。
図１は、本発明の実施の形態における導光体７を備える照明装置３、及び該照明装置３を具備する表示装置１の概略断面図であり、各部位の縮図は実際とは一致しない。
【００２０】
図１に示す表示装置１は、画像表示素子２と、この画像表示素子２の光入射側に臨ませて配置された照明装置３を備える。
【００２１】
画像表示素子としては、例えば液晶表示素子２が挙げられる。液晶表示素子２は、液晶層９の両面に偏光板１０、１１を備える構造をとる。液晶表示素子２は、画素単位で光を透過または遮光することによって表示画像を規定することにより、画像を表示する代表的な素子であり、他の表示素子に比べて、画像品位を高くすることができるとともに、製造コストを低減することができる。
【００２２】
照明装置３は、画像表示素子２の光入射側に臨ませて配置された、弱拡散シート（拡散シート）２８、拡散レンズシート２０、導光体７、反射板５、及び光源６を備えている。
【００２３】
反射板５は、少なくとも導光体７と対向する面に配置されているが、更に導光体７の４つの側端面のうち、光源６が配置されない面と対向する位置に配置してもよい。
【００２４】
光源６としては例えば点光源が挙げられる。点光源としては、ＬＥＤ（発光ダイオード）が挙げられ、ＬＥＤとしては白色ＬＥＤや光の３原色である赤色、緑色、青色のチップで構成されるＲＧＢ−ＬＥＤ等が挙げられる。
また、光源６はＣＣＦＬ（冷陰極管）に代表される蛍光管であってもよい。
このような光源６は、プレート状の導光体７の１つの入射面７Ｌに沿うよう配置されている。これに限らず、光源６は、導光体７において対向する２つの端面に配置する場合、または４つの端面に配置される場合などもあり得る。また導光体７の形状は、図１に示すような平板形状ではなく、楔形状等であってもよい。
【００２５】
導光体７は、透過性を有した材料から形成され、液晶表示素子２に対向する側が射出面７ｂとされ、射出面７ｂとは反対側の面には光偏向面７ａが形成されている。
【００２６】
導光体７の光偏向面７ａには、光源６からの入射光を射出面７ｂ側へと偏向する光偏向要素１８が形成されている。光偏向要素１８としては、例えば白色拡散反射ドットが印刷される。また光偏向要素１８としての別の例としては、凹型、または凸型のマイクロレンズ形状やプリズム形状等の構造物が挙げられる。
【００２７】
図２（ａ）は、光偏向要素１８が、例えば凹型のマイクロレンズである場合の本発明の導光体７の斜視図である。図２（ｂ）は入射面７Ｌ側から見た断面図であり、図２（ｃ）は入射面７Ｌと直交する方向の断面図である。
光偏向要素１８は、図２（ａ）、（ｃ）に示すように、入射面７Ｌに直交する方向においては、入射面７Ｌに近い側に対し、入射面７Ｌから遠い側で、光偏向要素１８の単位面積あたりの占める面積が多くなる疎密分布で配され、図２（ａ）、（ｂ）に示すように、入射面７Ｌに平行な方向においては、単位面積当りの光偏向要素１８の占める面積は略均一となるようにするのが好ましい。
導光体７内部を導光する光の量は入射面７Ｌに近いほど多く、離れるにつれ減少する。従って、光偏向要素１８は入射面７Ｌに近いほど少なく、離れるにつれ多くすることで、射出面７ｂから射出される光量の均等化を図ることができる。
ここで、光偏向要素１８に疎密を設けて配置することに代えて、光偏向要素１８の大きさを変えてもよい。すなわち、入射面７Ｌに近いほど光偏向要素１８の大きさが小さくなり、離れるにつれ大きくする。これによっても、射出面７ｂから射出される光量の均等化を図ることができる。
【００２８】
導光体７の射出面７ｂには、図２（ａ）〜（ｃ）に示されるように、導光体７の射出面７ｂに、第一のレンズ（光拡散部）１９が形成される。この第一のレンズ１９の機能について、以下詳細に説明する。
【００２９】
第一のレンズ１９は、射出面７ｂに沿い、入射面７Ｌと直交する方向（第一の方向）に延在するレンズであり、射出面７ｂ上に複数本が規則的に配置される。このような第一のレンズ１９としては、図３（ａ）に示されるような、断面形状が円弧状、または図３（ｂ）に示されるような非円弧状の凸湾曲シリンドリカルレンズであることが望ましい。
このような複数の第一のレンズ１９は、射出面７ｂ上において、入射面７Ｌに沿った方向に、互いに接するように密に配置してもよいし、互いに間隔を隔てて間欠的に配置することもできる。
【００３０】
第一のレンズ１９の効果について図４から図５を用いて説明する。
図４（ａ）は、第一のレンズ１９が無い導光体７の上面図であり、図４（ｂ）は入射面７Ｌ側から見た側面図である。そして図５（ａ）は第一のレンズ１９が形成された導光体７の上面図であり、図５（ｂ）は入射面７Ｌ側から見た側面図である。それぞれ、長方形である導光体７の長辺のうちの１辺の中心部に光源６が配置された場合の光の振る舞いを図示している。
【００３１】
図４（ａ）、（ｂ）に示すように、第一のレンズ１９が無い場合、光源６から射出された光が入射面７Ｌから導光体７に入射し、導光体７内部を扇状に広がりながら導光する。一方、第一のレンズ１９がある場合、図５（ａ）、（ｂ）に示されるように、入射面７Ｌから入射した光は、第一のレンズ１９によって内部反射を繰り返し、一方向に導光する。すなわち、導光が扇状に広がらずにある領域を導光するため、例えばスキャニングバックライトやローカルディミングといった、バックライトの発光領域制御に有用である。
【００３２】
第一のレンズ１９のもう１つの効果について図６（ａ）、（ｂ）を用いて説明する。図６（ａ）、（ｂ）は、一例として導光体７の長辺２辺に沿って複数の光源６を配置し、光偏向要素１８は入射面７Ｌに近いほど疎に、離れるほど、すなわち導光体７の中心部に近いほど密に配置し、入射面７Ｌと平行な方向においては略均一に配置した場合の輝度分布を示している。
【００３３】
光偏向要素１８は入射面７Ｌに近いほど、少なく、または形状が小さくなって配置されると、光源６から導光体７に入射して導光体７内部を導光する光のうち、光偏向要素１８によってその進路が変えられた光が射出面７ｂから射出される。
図６（ａ）は第一のレンズ１９が無い場合の輝度分布である。光偏向要素１８は導光体７の中心ほど輝度が高くなるよう配置されている。しかしながら、導光体７の光源６が配置されない短辺側に三角形状の暗部Ｄが生じてしまう。この暗部Ｄは、図４（ａ）、（ｂ）で示されているように、光源６から導光体７に入射した光が扇状に広がって導光することに起因し、複数の光源６による導光の重ね合わせ、そして光源６が配置されない短辺からの光漏れなどによって生じるものである。従って、通常は暗部Ｄが生じないように、そして導光体７中心輝度が高まるように、光偏向要素１８は二次元の疎密パターンで形成する必要がある。
【００３４】
一方、図６（ｂ）は第一のレンズ１９が形成された場合の輝度分布である。光偏向要素１８は、上述と同様に、導光体７の中心部に近づくほど輝度が高くなるよう配置されている。図５（ａ）、（ｂ）で示したように、光源６から導光体７に入射した光は扇状に広がらず直進するため、図６（ａ）で示されるような暗部Ｄは生じない。つまり、複雑な二次元の疎密パターンを設計せずとも、一次元の疎密パターンでも暗部Ｄが生じない照明装置３を得ることができる。これは特に、本発明の導光体７を、押出成形等により、ロールトゥロールでシームレスに成形したい場合に優位である。
【００３５】
また、本発明の導光体７を用いた表示装置１は、画面中心ほど輝度が高いことが望ましい。第一のレンズ１９が形成された導光体７の光偏向要素１８は一次元の疎密であるため、入射面７Ｌと直交する方向については疎密パターンを適宜調整することで、画面中心部の輝度を高めることが可能であるが、入射面７Ｌと平行な方向においては、輝度は略均一である。そこで、複数の光源６への投入電流を調整することで入射面７Ｌと平行な方向についても、画面中心ほど輝度が高くなるよう調整することが可能である。
【００３６】
さらに、第一のレンズ１９の別の効果について、図７（ａ）、（ｂ）を用いて説明する。図７（ａ）は、本発明の導光体７の上面図であり、簡略のため、第一のレンズ１９は表示していない。図７（ｂ）は本発明の導光体７の入射面７Ｌ側から見た側面図であり、簡略のため、光源６は表示せず、光偏向要素１８は代表の１つのみ表示としている。光偏向要素１８によって進路を変えられた光が射出面７ｂに配置された第一のレンズ１９による屈折によって、更に進路を変えて射出される。このとき、導光体７を射出面７ｂ側から観察すると、第一のレンズ１９の屈折効果により、点状の光偏向要素１８がつながって線状光Ｌとして視認される。そして線状光Ｌの延在する方向は、第一のレンズ１９が配列される方向と同一である。
【００３７】
点状に形成される光偏向要素１８を線状光Ｌへと偏向させる第一のレンズ１９としては、前記したように、図３（ａ）に示されるような断面円弧状、または図３（ｂ）に示されるような断面非円弧状の凸湾曲シリンドリカルレンズであることが望ましい。射出面７ｂに対する凸湾曲シリンドリカルレンズの接線角度は、位置によって変化するため、点状の光偏向要素１８を線状光Ｌへと変換することが容易であるためである。
一方で、第一のレンズ１９として、一般にプリズムレンズは好ましくない。射出面７ｂに対するプリズムレンズは接線角度が一定であるため、点状の光偏向要素１８は線状光Ｌへと変換されず、２つの点状光にスプリットされるためである。プリズムレンズを採用する場合には、図８（ａ）に示されるような、頂部が湾曲したプリズムレンズ、または図８（ｂ）に示されるような、側面が湾曲したプリズムレンズであることが望ましい。
【００３８】
拡散レンズシート２０は、本発明の導光体７の射出面７ｂ側に配置されている。拡散レンズシート２０は、その一面側が導光体７と対向する入射面２０ａとされ、他面側が入射面２０ａと対向する射出面２０ｂとされている。
この拡散レンズシート２０は、透光性の基材２１と、射出面２０ｂ側に設けられ、第一のレンズ１９によって線状光Ｌとされた光を面状光に変換する第二のレンズ（光拡散部）２２と、を備えている。
【００３９】
第二のレンズ２２は、基材２１の表面（射出面２０ｂ側）において、導光体７の射出面７ｂに形成される第一のレンズ１９とは略直交する方向（第二の方向）に延在する。線状光Ｌを面状光へと変換する第二のレンズ２２の形状としては、図３（ａ）に示される断面円弧状、または図３（ｂ）に示されるような断面非円弧状の凸湾曲シリンドリカルレンズであることが望ましい。または図８（ａ）に示されるような、頂部が湾曲したプリズムレンズ、または図８（ｂ）に示されるような、側面が湾曲したプリズムレンズであることが望ましい。
このような第二のレンズ２２は、第一のレンズ１９が延在する方向に沿って、複数本を並べて設けられている。これら複数本の第二のレンズ２２は、互いに接するように密に配置しても良いし、互いに間隔を隔てて間欠的に配置することもできる。
【００４０】
このような拡散レンズシート２０は等方性の拡散性を有していてもよい。具体的には、導光体７に対向する側の拡散レンズシート２０の入射面２０ａに拡散層を設ける。これには、入射面２０ａを粗面化して光を拡散させる凹凸を形成することで拡散性を与えてもよいし、入射面２０ａに拡散フィラーを塗工する等して、光を拡散させる物質によるコーティングを施してもよい。また、拡散レンズシート２０の基材２１を、その内部に、光を拡散させる拡散性粒子が分散された構成のものとすることもできる。
これにより、導光体７に形成される光偏向要素１８、第一のレンズ１９、及び拡散レンズシート２０に形成される第二のレンズ２２との間に生じるモアレ干渉縞を抑制することができる。
【００４１】
本実施形態においては、拡散レンズシート２０の射出面２０ｂ側に、弱拡散シート２８が配置されている。
弱拡散シート２８は、その表面に、光を拡散させる物質によるコーティング、または光を拡散させる凹凸が形成された構成とすることができる。また、弱拡散シート２８は、その内部に、光を拡散させる拡散性粒子が分散された構成のものとすることもできる。
この弱拡散シート２８により、導光体７に形成される光偏向要素１８、第一のレンズ１９、及び拡散レンズシート２０に形成される第二のレンズ２２との間に生じるモアレ干渉縞を抑制することができ、更に第二のレンズ２２と液晶表示素子２との間に生じるモアレ干渉縞をも抑制することができる。
【００４２】
上述したように、光源６で発した光は、導光体７において光偏向要素１８によって偏向され、第一のレンズ１９によって線状光Ｌへと変換される。さらに、導光体７の射出面７ｂ側に配置された拡散レンズシート２０の第二のレンズ２２によって、線状光Ｌが面状光へと変換される。これにより、点状に視認される光偏向要素１８が面状光へと変換されるため、観察者に視認されることはない。
【００４３】
そして、照明装置３、並びに表示装置１は、導光体７の射出面７ｂ側に散乱性の高い拡散シートを積層せずとも光偏向要素１８を隠蔽することができ、導光体７の射出面７ｂに形成された第一のレンズ１９による集光効果を阻害しないため、高輝度な照明装置３を得ることができる。
【００４４】
（その他の実施形態）
なお、本発明は、図面を参照して説明した上述の実施形態に限定されるものではなく、その技術的範囲において様々な変形例が考えられる。
例えば、本発明の照明装置３は表示装置１のみに適用されるものではない。すなわち光源６から射出された光を効率的に集光する機能を有する照明装置３として例えば照明機器などにも使用できることは当然である。
また、弱拡散シート２８は、必須の構成ではなく、第一のレンズ１９、第二のレンズ２２により十分に均等な照明光が得られるのであれば、弱拡散シート２８を省略してもよい。
また、第一のレンズ１９を導光体７に一体に形成し、第二のレンズ２２を基材２１に設けるようにしたが、第二のレンズ２２のように、第一のレンズ１９をシート状の基材に形成して、導光体７とは別体とすることもできる。また、第一のレンズ１９を基材２１に一体に形成してもよい。
【００４５】
これ以外にも、本発明の主旨を逸脱しない限り、上記実施の形態で挙げた構成を取捨選択したり、他の構成に適宜変更したりすることが可能である。
【符号の説明】
【００４６】
１…表示装置、２…液晶表示素子（画像表示素子）、３…照明装置、５…反射板、６…光源、７…導光体、７Ｌ…入射面、７ａ…光偏向面、７ｂ…射出面、１８…光偏向要素、１９…第一のレンズ（光拡散部）、２０…拡散レンズシート、２０ａ…入射面、２０ｂ…射出面、２１…基材、２２…第二のレンズ（光拡散部）、２８…弱拡散シート（拡散シート）
【図１】
2013134888.tif 000003
【図２】
2013134888.tif 000004
【図３】
2013134888.tif 000005
【図４】
2013134888.tif 000006
【図５】
2013134888.tif 000007
【図７】
2013134888.tif 000008
【図８】
2013134888.tif 000009
【図６】
2013134888.tif 000010